(57)【特許請求の範囲】
【請求項１】
パケット通信ネットワークに接続されそれぞれＳＩＰ（Session Initiation Protocol）で規定される通信機能を備えた複数のＳＩＰ端末と、これら複数のＳＩＰ端末間の交換処理を実行するとともに、前記ＳＩＰ端末にて互いに異なり前記交換処理に係わる機能を実行するための複数のサービス情報の中から任意の機能のサービス情報がサービス管理テーブルに登録された場合に、当該サービス管理テーブルに登録したサービス情報に基づいて選択した機能を実行する電話交換装置とを備えた電話システムにおいて、
前記ＳＩＰ端末は、
任意の機能を実行する際に、ＳＩＰで規定される通信確立要求の相手先識別情報領域に前記サービス管理テーブルに登録すべく任意のサービス情報を特定するサービスＩＤを挿入して前記電話交換装置に送信する送信手段を備え、
前記電話交換装置は、
受信した通信確立要求の相手先識別情報領域に前記サービスＩＤが挿入されていた場合に、当該サービスＩＤにより特定されるサービス情報を前記サービス管理テーブルに登録する制御手段を備えたことを特徴とする電話システム。
【請求項２】
パケット通信ネットワークに接続されそれぞれＳＩＰ（Session Initiation Protocol）で規定される通信機能を備えた複数のＳＩＰ端末間の交換処理を実行するとともに、前記ＳＩＰ端末にて互いに異なり前記交換処理に係わる機能を実行するための複数のサービス情報の中から任意の機能のサービス情報がサービス管理テーブルに登録された場合に、当該サービス管理テーブルに登録したサービス情報に基づいて選択した機能を実行する電話交換装置において、
前記ＳＩＰ端末から前記パケット通信ネットワークを介して送られかつＳＩＰで規定される通信確立要求を受信する受信手段と、
前記通信確立要求の相手先識別情報領域に前記サービス管理テーブルに登録すべく任意のサービス情報を特定するサービスＩＤが挿入されているか否かを判定し、この判定結果に基づいて、前記サービスＩＤにより特定されるサービス情報を前記サービス管理テーブルに登録する制御手段とを具備したことを特徴とする電話交換装置。
【請求項３】
前記サービス管理テーブルに、前記ＳＩＰ端末にて利用可能なサービス情報のうち少なくとも一部について設定／解除を表す設定情報が記憶されているとき、
前記制御手段は、前記通信確立要求の相手先識別情報領域に前記サービス管理テーブルに登録すべく任意のサービス情報を特定するサービスＩＤが挿入されている場合に、前記サービスＩＤに基づいて、前記サービス管理テーブル中の任意のサービス情報の設定情報を変更することを特徴とする請求項２記載の電話交換装置。
【請求項４】
前記制御手段は、
前記通信確立要求の相手先識別情報領域に前記サービス管理テーブルに登録すべく任意のサービス情報を特定するサービスＩＤが挿入されている場合に、前記サービスＩＤにより特定されるサービス情報と前記サービス管理テーブルとを比較することで要求されたサービス情報の登録の可／否を判定する判定手段と、
サービス情報の登録が可能と判定された場合に、要求されたサービス情報を前記サービス管理テーブルに登録する登録制御手段とを備えたことを特徴とする請求項２記載の電話交換装置。
【請求項５】
前記制御手段は、前記判定手段による判定結果を、前記パケット通信ネットワークを介して要求元のＳＩＰ端末に通知する通知手段をさらに備えたことを特徴とする請求項４記載の電話交換装置。
【発明の詳細な説明】
【技術分野】
【０００１】
この発明は、ＳＩＰ（Session Initiation Protocol）で規定される通信機能を備えた複数のＳＩＰ端末間で音声通信を行なう電話システム及びこの電話システムで使用される電話交換装置に関する。
【背景技術】
【０００２】
近年、パケット網を介して、双方向に画像や音声をパケットデータとして、リアルタイムに送受信するネットワーク電話システム（ＩＰ電話システム）が普及し始めている。このＩＰ電話システムでは、そのプロトコルとしてＳＩＰ（Session Initiation Protocol）が広く使われている。
【０００３】
この種のシステムでは、パケット網に接続される端末（以下、ＳＩＰ端末と称する）のアドレスをパケット網上の電話交換装置に予め登録しておき、ＳＩＰ端末間で通話を行う際に、上記登録されたアドレスを基に電話交換装置がＳＩＰ端末の認証を行うようにしている。
【０００４】
ところで、上記システムにあっても、例えばＰＢＸ（Private Branch Exchange）またはボタン電話装置で実施されている着信転送等の付加的な発着信サービスについて強く望まれている。この場合、ＳＩＰ端末ごとに利用したいサービスを電話交換装置に予め登録しておく必要がある。この登録方法としては、発信側のＳＩＰ端末を電話交換装置に接続し、この電話交換装置から発信側のＳＩＰ端末に対し発呼者が希望するサービスに対応するサービス番号の入力指示を送出する。そして、発呼者がダイヤル操作によりＤＴＭＦ（Dual Tone Multi Frequency）信号からなるサービス番号を送出すると、このＤＴＭＦ信号を検出してそのサービス番号を登録可能とするものである。
【０００５】
ところが、上記登録方法では、電話交換装置にＤＴＭＦ検出回路を備える必要がある。一般にＤＴＭＦ検出回路は、回路構成が複雑で大型になり易く価格も高価である。なお、従来では、サービス機能をＳＩＰのＲＥＧＩＳＴＥＲメッセージに特徴拡張子を付加することで実現する手法も提案されている（例えば、特許文献１）。
【特許文献１】特表２００３−５１７７６４。
【発明の開示】
【発明が解決しようとする課題】
【０００６】
しかしながら、上記手法では、特徴拡張子の生成処理及び付加処理をＳＩＰ端末に実行させているため、ＳＩＰ端末に複雑な処理が要求され、処理負荷が増大してしまうことになる。
【０００７】
そこで、この発明の目的は、ＳＩＰ端末間の音声通信を行なうシステムにあって、簡単な処理手順により着信転送サービス等の発着信に係わる付加的なサービスを登録できるようにした電話システム及び電話交換装置を提供することにある。
【課題を解決するための手段】
【０００８】
この発明は、上記目的を達成するために、以下のように構成される。  
パケット通信ネットワークに接続されそれぞれＳＩＰ（Session Initiation Protocol）で規定される通信機能を備えた複数のＳＩＰ端末と、これら複数のＳＩＰ端末間の交換処理を実行するとともに、ＳＩＰ端末にて互いに異なり交換処理に係わる機能を実行するための複数のサービス情報の中から任意の機能のサービス情報がサービス管理テーブルに登録された場合に、当該サービス管理テーブルに登録したサービス情報に基づいて選択した機能を実行する電話交換装置とを備えた電話システムにおいて、ＳＩＰ端末は、任意の機能を実行する際に、ＳＩＰで規定される通信確立要求の相手先識別情報領域にサービス管理テーブルに登録すべく任意のサービス情報を特定するサービスＩＤを挿入して電話交換装置に送信する送信手段を備え、電話交換装置は、受信した通信確立要求の相手先識別情報領域にサービスＩＤが挿入されていた場合に、当該サービスＩＤにより特定されるサービス情報を前記サービス管理テーブルに登録する制御手段を備えるようにしたものである。
【０００９】
この構成によれば、ＳＩＰで規定されているＩＮＶＩＴＥメッセージのような既存の通信確立要求を利用して付加サービスを電話交換装置のサービス管理テーブルに登録し、当該付加サービスを実行することが可能となる。従って、ＤＴＭＦ信号やＮＯＴＩＦＹメッセージといったサービス登録専用の信号を新たに設けてセッション確立後に再度サービス登録を行う必要がなく、これにより簡単な処理手順によりダイレクトにサービス登録処理を実施でき、ＳＩＰ端末における操作性も向上する。
【００１０】
サービス管理テーブルに、ＳＩＰ端末にて利用可能なサービス情報のうち少なくとも一部について設定／解除を表す設定情報が記憶されているとき、制御手段は、通信確立要求の相手先識別情報領域にサービス管理テーブルに登録すべく任意のサービス情報を特定するサービスＩＤが挿入されている場合に、サービスＩＤに基づいて、サービス管理テーブル中の任意のサービス情報の設定情報を変更することを特徴とする。
【００１１】
この構成によれば、サービスの登録処理に際し、サービス管理テーブル中の登録対象のサービスの設定情報を変更するだけでよいことになり、これによりサービス情報自体を登録する場合に比べて、簡単かつ短時間にサービス登録を行うことができる。
【００１２】
制御手段は、通信確立要求の相手先識別情報領域にサービス管理テーブルに登録すべく任意のサービス情報を特定するサービスＩＤが挿入されている場合に、サービスＩＤにより特定されるサービス情報とサービス管理テーブルとを比較することで要求されたサービス情報の登録の可／否を判定する判定手段と、サービス情報の登録が可能と判定された場合に、要求されたサービス情報をサービス管理テーブルに登録する登録制御手段とを備えたことを特徴とする。
【００１３】
この構成によれば、サービス管理テーブルに対するサービス登録の実行に先立ち、サービスＩＤにより特定されるサービス情報とサービス管理テーブルとを比較して、この比較結果に基づいてサービス登録が可能か否かを判定するようにしている。このため、ＳＩＰ端末ごとに適切なサービス登録処理を行うことができ、これによりサービス登録上の信頼性をさらに高めることができる。
【００１４】
制御手段は、判定手段による判定結果を、パケット通信ネットワークを介して要求元のＳＩＰ端末に通知する通知手段をさらに備えたことを特徴とする。
【００１５】
この構成によれば、ＳＩＰ端末のユーザは少なくとも自身が要求したサービス登録が受け付けられたか否かを確認することができる。また、その際にサービス登録の可否の判定結果に加えて、その理由をユーザに通知するようにすれば、受け付けられなかった場合にユーザはその原因を把握して適切なやり直し操作等を行なうことが可能となる。
【発明の効果】
【００１６】
以上詳述したようにこの発明によれば、ＳＩＰ端末間の音声通信を行なうシステムにあって、簡単な処理手順により着信転送サービス等の発着信に係わる付加的なサービスを登録できるようにした電話システム及び電話交換装置を提供することができる。
【発明を実施するための最良の形態】
【００１７】
以下、この発明の実施形態について図面を参照して詳細に説明する。  
（第１の実施形態）  
図１は、この発明の第１の実施形態に係わるＩＰ電話システムの概略構成図であり、１Ａは構内交換機を示している。
【００１８】
この構内交換機１Ａは、複数のＳＩＰ端末Ｔ１〜Ｔｍ（ｍは自然数）をＬＡＮ(Local Area Network)２を介して収容している。
【００１９】
図２は、構内交換機１Ａの機能構成を示すブロック図である。  
すなわち、構内交換機１Ａは、ＩＰスタック１１と、制御部１２と、記憶部１３と、ＳＩＰスタック１４とを備えている。このうち、ＩＰスタック１１は、ＬＡＮ２との間でインタフェース処理を行うものである。
【００２０】
記憶部１３は、上記制御部１２の接続制御に必要なルーティング情報等を格納している。さらに、記憶部１３には、サービス登録テーブル１３１が設けられる。
【００２１】
サービス登録テーブル１３１には、図３に示すように、ＳＩＰ端末Ｔ１〜Ｔｍごとに利用可能なサービスについての設定／解除を表す設定情報が記憶されている。
【００２２】
一方、制御部１２は、各ＳＩＰ端末Ｔ１〜Ｔｍ相互間及びこれらＳＩＰ端末Ｔ１〜Ｔｍと非ＳＩＰ端末（図示せず）もしくは公衆網の加入者線（図示せず）との間の交換接続機能に加えて、この発明に係わる新たな機能として、着信分析部１２１と、サービス登録処理部１２２と、トーン／アナウンス送信部１２３とを備えている。
【００２３】
着信分析部１２１は、各ＳＩＰ端末Ｔ１〜ＴｍからＳＩＰメッセージ（ＩＮＶＩＴＥ）を受信すると、ＩＮＶＩＴＥの相手先識別情報領域に登録希望のサービス番号（サービスＩＤ）が挿入されているか否かを判定する。
【００２４】
サービス登録処理部１２２は、上記着信分析部１２１によりサービス番号が挿入されていることが判定された場合に、サービス登録テーブル１３１中の希望サービス番号に対応するサービスの設定情報を「設定」から「解除」または「解除」から「設定」に更新する。
【００２５】
トーン／アナウンス送信部１２３は、上記サービス登録処理部１２２によるサービス登録結果を要求元のＳＩＰ端末Ｔ１〜Ｔｍに対しＬＡＮ２上に確立されたセッションを介してトーンまたは音声アナウンスにより通知する。
【００２６】
ＳＩＰスタック１４は、ＳＩＰ端末Ｔ１〜Ｔｍとの間のインタフェース処理を行う。
【００２７】
次に、上記構成におけるＩＰ電話システムの動作を説明する。  
図４は、サービス登録処理を行う際の構内交換機１ＡとＳＩＰ端末Ｔ１との間の情報の送受信動作を示すシーケンス図である。
【００２８】
いま、ＳＩＰ端末Ｔ１のユーザが、ＳＩＰ端末Ｔ１を用いて任意のサービス番号をダイヤル操作したとする。そうすると、ＳＩＰ端末Ｔ１は、ＳＩＰで規定されるＩＮＶＩＴＥ、つまり通信確立要求の相手先識別情報領域に、希望のサービス番号を挿入し、このＩＮＶＩＴＥを構内交換機１Ａへ送信する。
【００２９】
構内交換機１Ａは、ＳＩＰ端末Ｔ１からのＩＮＶＩＴＥを受信するとＩＰスタック１１、ＳＩＰスタック１４を経由して着信分析部１２１にてＩＮＶＩＴＥが分析される。
【００３０】
ＩＮＶＩＴＥ内の相手先識別情報領域つまり着信先を着信分析にかけて着信先が端末ならば通常の着信処理へ、着信先がサービス番号ならばサービス登録処理部１２２に振り分けられる。
【００３１】
サービス登録処理部１２２からＳＩＰスタック１４、ＩＰスタック１１を経由して応答メッセージとしてＳＩＰメッセージ(２００ ＯＫ)を返し、その結果ＳＩＰ端末Ｔ１と構内交換機１Ａ間のセッションが確立する。
【００３２】
サービス登録処理部１２２は、ＳＩＰメッセージ（２００ ＯＫ)を応答した後、サービス番号に応じて、サービス登録テーブル１３１にサービスを登録する。
【００３３】
以後、サービス登録処理部１２２はサービス登録結果をＳＩＰ端末Ｔ１と構内交換機１Ａ間のセッションを使用してトーンまたはアナウンスでＳＩＰ端末Ｔ１に通知する。従って、この通知によりＳＩＰ端末Ｔ１のユーザは希望するサービスが登録されたか否かを知ることができる。
【００３４】
以上の如く、ＳＩＰ端末Ｔ１がＳＩＰの基本シーケンスに対応していれば構内交換機１Ａへのサービス登録が可能となる。
【００３５】
以上のように上記第１の実施形態では、ＳＩＰで規定されているＩＮＶＩＴＥのような既存の通信確立要求を利用して希望のサービスを構内交換機１Ａのサービス登録テーブル１３１に登録するようにしている。
【００３６】
従って、ＤＴＭＦ信号やＳＩＰメッセージ（ＮＯＴＩＦＹ）といったサービス登録専用の信号を新たに設けてセッション確立後に再度サービス登録を行う必要がなく、これにより簡単な処理手順によりダイレクトにサービス登録処理を実施でき、またＳＩＰ端末Ｔ１における操作性も向上する。
【００３７】
また、上記第１の実施形態では、構内交換機１Ａにおいて、サービスの登録処理に際し、サービス登録テーブル１３１中の登録対象のサービスの設定情報を「解除」から「設定」または「設定」から「解除」に変更するようにしている。従って、サービス情報自体を登録する場合に比べて、簡単かつ短時間にサービス登録を行うことができる。
【００３８】
さらに、上記第１の実施形態では、構内交換機１Ａにより登録要求元のＳＩＰ端末Ｔ１に対し希望のサービス登録が完了したか否かの結果を通知するようにしている。従って、ＳＩＰ端末Ｔ１のユーザは少なくとも自身が要求したサービス登録が受け付けられたか否かを確認することができる。また、その際にサービス登録の可否の判定結果に加えて、その理由をユーザに通知するようにすれば、受け付けられなかった場合にユーザはその原因を把握して適切なやり直し操作等を行なうことが可能となる。
【００３９】
（第２の実施形態）  
図５は、この発明の第２の実施形態として、構内交換機１Ｂの機能構成を示すブロック図である。なお、図５において、上記図２と同一部分には同一符号を付して詳細な説明を省略する。
【００４０】
すなわち、制御部１２は、判定部１２４を備える。この判定部１２４は、ＩＮＶＩＴＥメッセージつまり通信確立要求の相手先識別情報領域に登録希望のサービス番号が挿入されている場合に、上記サービス登録処理部１２２による処理の実行に先立ち、サービス番号により特定されるサービスとサービス登録テーブル１３１とを比較することで要求されたサービスの登録の可／否を判定する。
【００４１】
次に、上記構成における動作について説明する。  
図６は、サービス登録判定を行なう際の構内交換機１Ｂの制御処理手順を示すフローチャートである。
【００４２】
構内交換機１Ｂは、ＳＩＰ端末Ｔ１から登録希望のサービス番号が挿入されたＩＮＶＩＴＥが受信されるごとに、ステップＳＴ６ａからステップＳＴ６ｂに移行してここで受信サービス情報と上記サービス登録テーブル１３１に登録されている登録希望のサービス情報との比較し、これにより登録希望のサービスが登録可能であるか否かを判定する（ステップＳＴ６ｃ）。
【００４３】
そして、登録不可であれば（Ｎｏ）、構内交換機１Ｂは要求元のＳＩＰ端末Ｔ１へ登録ＮＧである旨のメッセージを通知する（ステップＳＴ６ｄ）。
【００４４】
一方、登録可能である場合には（Ｙｅｓ）、構内交換機１Ｂは上記サービス登録テーブル１３１中の該当するサービスの設定情報を更新し（ステップＳＴ６ｅ）、登録が完了すると、登録完了の旨のメッセージを要求元のＳＩＰ端末Ｔ１へ通知する（ステップＳＴ６ｆ）。
【００４５】
以上のように上記第２の実施形態では、構内交換機１Ｂにおいて、サービス登録テーブル１３１に対するサービス登録の実行に先立ち、サービス番号により特定されるサービス情報とサービス登録テーブル１３１中の登録希望のサービス情報とを比較して、この比較結果に基づいてサービス登録が可能か否かを判定するようにしている。
【００４６】
従って、ＳＩＰ端末Ｔ１〜Ｔｍごとに適切なサービス登録処理を行うことができ、これによりサービス登録上の信頼性をさらに高めることができる。
【００４７】
（その他の実施形態）  
なお、この発明は上記各実施形態に限定されるものではない。例えば、上記各実施形態において、ＳＩＰで規定される通信機能を備えているものであれば、無線ＬＡＮを利用した端末や、パーソナル・コンピュータ上のソフトウェアで実現しているソフトフォンであってもよい。
【００４８】
また、上記各実施形態では、サービス登録を行う際に、サービス登録テーブル中の各サービスそれぞれの設定情報を「設定」から「解除」または「解除」から「設定」に変更する例について説明した。しかしこれに限ることなく、サービス番号により特定されるサービス情報をそのままサービス登録テーブルに登録するようにしてもよい。
【００４９】
その他、システムの構成及び種類、構内交換機の構成及び種類、電話端末の種類、サービス登録テーブルの記憶内容、サービスの登録制御方法等についても、この発明の要旨を逸脱しない範囲で種々変形して実施できる。
【図面の簡単な説明】
【００５０】
【図１】この発明の第１の実施形態に係わるＩＰ電話システムの概略構成図。
【図２】上記図１に示した構内交換機の機能構成を示すブロック図。
【図３】上記図２に示したサービス登録テーブルの記憶内容の一例を示す図。
【図４】同第１の実施形態において、サービス登録処理を行う際の構内交換機とＳＩＰ端末との間の情報の送受信動作を示すシーケンス図。
【図５】この発明の第２の実施形態として、構内交換機の機能構成を示すブロック図。
【図６】同第２の実施形態において、サービス登録判定を行なう際の構内交換機の制御処理手順を示すフローチャート。
【符号の説明】
【００５１】
１Ａ，１Ｂ…構内交換機、２…ＬＡＮ、１１…ＩＰスタック、１２…制御部、１３…記憶部、１４…ＳＩＰスタック、１２１…着信分析部、１２２…サービス登録処理部、１２３…トーン／アナウンス送信部、１２４…判定部、１３１…サービス登録テーブル、Ｔ１〜Ｔｍ…ＳＩＰ端末。
【図１】
0004585480.tif 000002
【図２】
0004585480.tif 000003
【図３】
0004585480.tif 000004
【図４】
0004585480.tif 000005
【図５】
0004585480.tif 000006
【図６】
0004585480.tif 000007